(57)【要約】【課題】  これまでの方法よりも一層完璧な処置が可能な鳥インフルエンザ・狂牛病などの感染阻止対処方法を提供することにある。【解決手段】  鳥インフルエンザ・狂牛病などに罹ったあるいは罹るおそれのある鳥や牛などの被処理対象からの感染阻止対処方法であって、病鳥などの被処理対象を焼却処理する焼却炉と、その焼却から発生する灰を回収する灰回収手段と、焼却に伴い発生する排煙他のものを回収し殺菌消毒する殺菌消毒手段と、殺菌消毒されたものを回収する手段とを少なくとも構成メンバーとし、これらメンバーを養鶏場周辺などの所定場所に搬入して組み立て、稼動させて被処理対象を処理してのち、処理により発生してくるものをコンテナなど回収保全筐に回収処理しさらにこれら回収保全筐やその回収保全筐を積載した搬送車両などの関連装備のすべてを殺菌消毒処理して搬出し目的地へ搬送処理するようにした鳥インフルエンザ・狂牛病などの感染阻止対処方法【選択図】図１
2007160060.tif 000002
【特許請求の範囲】
【請求項１】
鳥インフルエンザ・狂牛病などに罹ったあるいは罹るおそれのある鳥や牛などの被処理対象からの感染阻止対処方法であって、病鳥などの被処理対象を焼却処理する焼却炉と、その焼却から発生する灰を回収する灰回収手段と、焼却に伴い発生する排煙他のものを回収し殺菌消毒する殺菌消毒手段と、殺菌消毒されたものを回収する手段とを少なくとも構成メンバーとし、これらメンバーを養鶏場周辺などの所定場所に搬入して組み立て、稼動させて被処理対象を処理してのち、処理により発生してくるものをコンテナなど回収保全筐に回収処理しさらにこれら回収保全筐やその回収保全筐を積載した搬送車両などの関連装備のすべてを殺菌消毒処理して搬出し目的地へ搬送処理するようにした鳥インフルエンザ・狂牛病などの感染阻止対処方法。
【発明の詳細な説明】
【技術分野】
【０００１】  本発明は、鳥インフルエンザや狂牛病などに感染しあるいは感染するおそれのある病鳥などの被処理対象を養鶏場周辺に搬入してきた焼却炉により効果的かつ効率的に処分するとともにその処分に伴い発生してくる排煙や灰などをも搬入してきたコンテナなど回収保全筐に回収処理しさらにこれら回収保全筐やその回収保全筐を積載した搬送車両などの関連装備のすべてを可能な限りに安全レベルまで消毒処理して搬出し目的地へ搬送処理するようにした鳥インフルエンザ・狂牛病などの感染阻止対処方法に関する。
【背景技術】
【０００２】  例えば、高病原性鳥インフルエンザウイルスは家禽類を含む鳥類の疫病を招くに留まらず人へも感染して死に至るものとして恐れられている。
【発明の開示】
【発明が解決しようとする課題】
【０００３】  現に、日本国内においても養鶏場のニワトリに感染があり、感染の如何を問わず当該養鶏場の全てのニワトリが大量処分されたところである。しかし、処分にあたっては、養鶏場付近に広く深い埋設用の穴を掘り、そのなかに、ニワトリの死骸を入れた大量の密閉処置袋を埋設して全体を包み固める方法をとってきた。
このような処置方法であると、完璧さに今一つの問題が残る。
上記に鑑み、本発明は、これまでの方法よりも一層完璧な処置が可能な鳥インフルエンザ・狂牛病などの感染阻止対処方法を提供することにある。
【課題を解決するための手段】
【０００４】  上記課題を解決するため、請求項１記載の発明は、鳥インフルエンザ・狂牛病などに罹ったあるいは罹るおそれのある鳥や牛などの被処理対象からの感染阻止対処方法であって、病鳥などの被処理対象を焼却処理する焼却炉と、その焼却から発生する灰を回収する灰回収手段と、焼却に伴い発生する排煙他のものを回収し殺菌消毒する殺菌消毒手段と、殺菌消毒されたものを回収する手段とを少なくとも構成メンバーとし、これらメンバーを養鶏場周辺などの所定場所に搬入して組み立て、稼動させて被処理対象を処理してのち、処理により発生してくるものをコンテナなど回収保全筐に回収処理しさらにこれら回収保全筐やその回収保全筐を積載した搬送車両などの関連装備のすべてを殺菌消毒処理して搬出し目的地へ搬送処理するようにした鳥インフルエンザ・狂牛病などの感染阻止対処方法。
【発明の効果】
【０００５】  本発明によれば、これまでの埋設による方法よりも一層完璧な処置が可能な鳥インフルエンザ・狂牛病などの感染阻止対処方法を提供することができる。
【発明を実施するための最良の形態・実施例】
【０００６】  図１ないし図４は、本発明に係る鳥インフルエンザ・狂牛病などの感染阻止対処方法の一実施形態を示すもので、主に鳥インフルエンザ感染を想定した実施形態を示す。
これらの図において、図１は養鶏舎１…のある養鶏場周辺に処分のための諸設備をトレーラー２…によりコンテナ輸送してきた様子を示し、図２はその諸設備を運転態勢に組み立てた状態の平面図、図３はその正面図（一部断面図）を示す。図４は処分後の諸設備ならびに搬送トレーラーを含めて消毒処置をして搬出する状態を示す正面図を示す。
【０００７】  先に図２および図３の処分のための準備が完了した状態をもとに、必要設備の説明をする。
Ａは被処理対象導入コンベア、Ｂは焼却炉、Ｃは灰回収タンク、Ｄは排煙処理タンク、Ｅは排液消毒タンク、Ｆは消毒済液回収タンクを示す。尚、図３において被処理対象導入コンベアＡおよび焼却炉Ｂは断面で示されている。
【０００８】  被処理対象導入コンベアＡは、密閉化を図るためスクリュウ方式のものを採用するが、ベルト循環式その他のものを採用してもよい。同コンベアＡにおいて、４はスクリュウ、５はスクリュウハウジング、６は駆動モーター、７はホッパーであり、ホッパー７には開閉式の蓋８が装備されて同蓋８を開けてホッパー７内に完全密閉パック状態の被処理対象Ｈ…を投入することによりスクリュウ４により破砕されながら掻き揚げられるようになっている。
尚、蓋８に代えて、放射状スリットにより中央に投入口が開くようになる拡縮式のゴム膜を装備すればより密閉化が図れる。９は折畳式の脚台、１０は上部出口である。
【０００９】  焼却炉Ｂは、架台１２の上部に傾斜底１３を備えて密閉化した燃焼室１４を備えるとともに、燃焼室１４の一側には、スクリュウハウジング５の上端を差し込むことのできる蛇腹１５付きの挿入開口１６を備えている。蛇腹１５は、被処理対象導入コンベアＡの上端外周を密閉状に包み込むようにする。
【００１０】  １７は燃焼ケーシングで、この燃焼ケーシング１７の傾斜底１３中途には、凹部１８が半円状に形成され、この凹部１８内を介して、被処理対象導入コンベアＡから投入された被処理対象Ｈ…を傾斜下方へとゆっくりと順次送り込む送りローター１９が回転軸２０を介して図３の右周りに回転駆動自在に構成されている。
尚、この回転軸２０は、筒状にして熱風が放射外方へ噴射するようにしてもよい。
【００１１】  ２１は燃焼装置で、同装置２１は、燃焼室１４内に設けられているが、傾斜底１３側に設けて上方へと燃焼炎が噴き出すようにしてもよく、また、燃焼室１４内と傾斜底１３側の双方に燃焼装置を設けてもよい。
２２は灰排出コンベアで、傾斜底１３の最も下方に横軸状に設けられている。
尚、前記傾斜底１３それ自体を加熱底壁としてもよい。
【００１２】  このコンベア２２は、スクリュウ式で燃焼室１４内から外部へと突出して設けられている。そして、同コンベア２２の外端底部には、排出ホッパーが設けられて燃焼炉Ｂの横脇に設置される灰回収タンクＣの中へ燃焼灰を送り込むことができるようになっている。
２３は密閉カバーで、灰回収タンクＣ側の挿入開口周りの外部に設けられてコンベア２２の外周に密着することで外部に灰などが漏れ出ないようにしてある。
この灰回収タンクＣは、灰が次々に導入されてその量が嵩むこともあって図２の矢印のように一杯になったものは密閉して搬出され次のものが新たに搬入・設置されるように、切り替え交換自在になっている。
尚、前記灰排出コンベア２２のスクリュウ自体を加熱スクリュウとして被処理対象Ｈを最終処理するようにしてもよい。
【００１３】  ２５は排煙ブロアで、燃焼室１４内で発生する煙や蒸発気などの一切をフレキシブルチューブ２６を介して次の排煙処理タンクＤへ導くためのものである。同チューブ２６は現場で着脱自在になっている。
【００１４】  排煙処理タンクＤは、噴霧される水（あるいは加熱蒸気）雰囲気により排煙を水内に混じるようにする方法と、水に排煙などに鳥インフルエンザウイルスが混ざっていることを想定して同時に殺菌消毒処理をする方法の２つを採用できる。同タンクＤ内には、横２軸式の処理液噴射ローター２８が図３の矢印方向（上周り対向方向）に回転駆動自在に設けられており、水（あるいは加熱蒸気）が噴霧されたりあるいは殺菌消毒処理液の噴射されたあとの処理済液は下部ホッパー２９を通じて排液として排液消毒タンクＥへと持ち込まれる。３０はそのための着脱式配管である。
【００１５】  排液はこの排液消毒タンクＥでも更なる消毒処理を受けて配管３１を介して次の消毒済液回収タンクＦへと回収される。この消毒済液回収タンクＦは、排煙処理タンクＤ内で殺菌消毒がなされる場合には省略することもできる。この消毒済液回収タンクＦも、図２のように、回収量が嵩むこともあって一杯になったら次の新規な空の消毒済液回収タンクＦに切り替えるものとする。
【００１６】  図１は養鶏舎１…のある養鶏場周辺に処分のための諸設備Ａ、Ｂ，Ｃ、Ｄ、Ｅ、Ｆ他の設備類をトレーラー２…によりコンテナ輸送してきた際の様子を示す。
図中の第１段目に示すトレーラー２には、焼却炉Ｂ・排煙処理タンクＤ・排液消毒タンクＥ・消毒済液回収タンクＦ・被処理対象導入コンベアＡ・配管類・消毒殺菌液タンク・燃焼用燃料・トレーラー用燃料など必要設備品が搭載されてくる。複数台のトレーラー２に分けて搬送してもよい。このトレーラー２に搭載される設備品は、裸積みであるが２段目に示すようにコンテナ３３内に収容して搬送してもよい。このコンテナ３３は、搬出・搬送する際にウイルスが内部に残っていても外部に対して漏れず護られる。コンテナ３３は、図４に示すようにウイング式のコンテナであると出し入れが容易になる。このコンテナ３は、トレーラー２に別体式のものであるが、一体式のものでもよい（このことは他のコンテナについても同様にいえる）。
【００１７】  図１の２段目のトレーラー２…には、空の灰回収タンクＣ…の数基がコンテナ３３内に収容された形で搬送されてくる。このコンテナ３３は搬出する際に再利用される。３段目のトレーラー２…には、空の消毒済液回収タンクＦ…の数基がコンテナ３３内に収容された形で搬送されてくる。このコンテナ３３も搬出される際に再利用される。最下段のトレーラー２では、図４で示す第１殺菌消毒装置３５と第２殺菌消毒装置３６がそれぞれ分解状態で運ばれるようになっている。
【００１７】  こうして搬入されたものは、各トレーラー２…から降ろされて図２、図３および図４に示すように設置される。図２において、被処理対象Ｈ…は、被処理対象導入コンベアＡにより破砕されながら掻き揚げられてのち焼却炉Ｂ内に導入される。被処理対象Ｈはここで完全燃焼されて灰になって灰排出コンベア２２により灰回収タンクＣ内に次々に排出処理される。
【００１８】  ウイルスが残っているかも知れない排煙や蒸発気類は、排煙ブロア２５からフレキシブルチューブ２６を介して次の排煙処理タンクＤ内に導かれ、そこで、液状化されて次の排液消毒タンクＥにで殺菌消毒処理される。そのあと、消毒済液回収タンクＦ内にこれらが回収処理される。灰回収タンクＣおよび消毒済液回収タンクＦは、複数基入れ替えられ、密閉処置されて空のコンテナ３３に載せられる。
【００１９】  灰が回収され殺菌消毒を終えると、図４に示すように、各設備品類Ａ，Ｂ，Ｃ…は安全殺菌消毒処置をして搬出される。３８はコンベアで、第１殺菌消毒装置３５内を通るように設けられ、各設備品Ａ，Ｂ…を第１殺菌消毒装置３５を通して外部から殺菌消毒する。その際に必要な殺菌消毒液は、液タンク３９から供給され、発生したくる排液は、排液タンク４０に回収される。
【００２０】  これらで殺菌消毒処理されたあとの設備品Ａ、Ｂ…は、コンテナ３３内に収容されて、図の下段に示すように搬出される。最後にこのコンテナ３３を載せたトレーラー２の全体を第２殺菌消毒装置３６により殺菌消毒して一般市街地を走行しても安全なようにする。灰回収タンクＣや消毒済液回収タンクＦなど全ての使用品は第１殺菌消毒装置３５を通って殺菌消毒されるとともに、それらを搭載したコンテナ３３付トレーラー２も第２殺菌消毒装置３６により最終的に全て殺菌消毒される。
【００２１】  尚、排煙処理タンクＤ内には、無機鉱物ゼオライト（アルミニュウム・ナトリウム・ケイ素からなる）をコットン繊維の中で結晶化させ、これに銅イオンを付着させてなる銅ゼオライトを５〜７％含まれる繊維が鳥インフルエンザウイルスに有効であり、このものを回転駆動してさらに効果的に構成することもできる。
【００２２】  また、燃焼室１４を銅板製とすることもある。
【００２３】  さらに、設備Ａ、Ｂ…には、超音波振動素子を付して装置内の気体あるいは液体類を振動処理してもよい。この場合、銅イオンを同時放散して殺菌することもある。
【００２４】  また、搬出後の灰や排液などはより安全な場所においてコンクリート詰めして処置することもできる。
【００２５】  さらに、前記実施形態の他、ＢＳＥにかかった牛やそのおそれのある牛を処理するのに利用できる。各設備品は、処置の必要のある竹や松の処分にも流用できる。
【００２６】  また、第１殺菌消毒装置３５は、作業員の殺菌消毒にも流用される。
【図面の簡単な説明】
【００２７】
【図１】  本発明の一実施形態を搬入状態において示す正面図。
【図２】  搬入された装置設置状態を示す平面図。
【図３】  図２の正面図。
【図４】  搬出状態を示す正面図。
【符号の説明】
【００２８】  Ａ…被処理対象導入コンベア  Ｂ…焼却炉  Ｃ…灰回収タンク  Ｄ…排煙処理タンク  Ｅ…排液消毒タンク  Ｆ…消毒済液回収タンク。
【図１】
2007160060.tif 000003
【図２】
2007160060.tif 000004
【図３】
2007160060.tif 000005
【図４】
2007160060.tif 000006